(57)【要約】【課題】  本発明が解決しようとする問題点は、各種のねじ類を締緩するためのレンチについて、長期の使用を行うと、適応ねじサイズ、ロゴマーク、品番などの各種情報を表示した刻印部分が摩耗し、表示が消失してしまう点である。【解決手段】  レンチに適応ねじサイズ、ロゴマーク、品番などの情報を刻印し、前記刻印上から印刷または塗装を行い、刻印内部とその周辺を着色する。また、前記刻印と並列して、同様の情報を印刷または塗装により着色して表示させる。【選択図】図１
2005095995.tif 000002
【特許請求の範囲】
【請求項１】
ねじ類を締緩するためのレンチであって、適応するねじのサイズ、ロゴマーク、品番などの各種情報が刻印され、前記刻印の上から印刷または塗装により着色されていることを特徴とするレンチ。
【請求項２】
前記印刷または塗装により着色された刻印と並列して、印刷または塗装により、各種情報を表示したことを特徴とする請求項１記載のレンチ。
【請求項３】
前記レンチは、駆動工具に接続して用いられるソケットレンチであることを特徴とする、請求項１または２記載のレンチ。
【発明の詳細な説明】
【技術分野】
【０００１】
本発明は、適応ねじサイズなどの各種情報を表示したレンチに関するものである。
【背景技術】
【０００２】
従来より、各種ねじ類を締緩するために、多種多様なレンチが存在する。例えば、スパナやメガネレンチ、ソケットレンチなどである。
【０００３】
一般的なレンチには、適応するねじのサイズやブランドのロゴマーク、品番といった各種の情報が刻印により表示されている。しかし、使用を続けることにより刻印部分が摩耗し、刻印が消失してしまうことがある。そうすると、そのレンチの適応サイズが一目でわからないため、わざわざねじにあてがって適応を確かめなければならないばかりか、何らかの原因によりそのレンチが使用不能になった場合、同じものを購入したくともブランド名や品番が不明であるから、注文ができないといった問題が発生する。
【０００４】
特に、動力工具用のソケットレンチは強い衝撃を受けるため、通常のめっき処理ではめっきに割れや剥離が生じてしまう。そこで、動力工具用のソケットレンチは、一般に防錆のために黒色処理を行っている。しかし、黒色処理が施されたソケットレンチは、防錆効果は優れたものであるが、刻印が見づらいという問題があった。
【０００５】
そこで、黒色処理を施したソケットレンチの各種情報の表示を見やすくするため、ソケットレンチ外周に各種情報を記入したシールを貼付したもの（非特許文献１）や、白色などの目立つ色を用いて印刷したもの（非特許文献２）などの表示手段が公知になっている。
【非特許文献１】ＫＴＣ総合カタログＮｏ．３３（１３３頁）  京都機械工具株式会社  ２００３年
【非特許文献２】Ｋｏ−ｋｅｎ  ＴＯＯＬＳ  ＣＡＴＡＬＯＧＵＥ（９頁）  株式会社山下工業研究所  ２００２年１１月
【０００６】
しかし、動力工具用ソケットレンチを使用する際、ブレを防止するため、軍手を装着した手でソケットレンチを軽く握って回動させることが多い。そのため、ソケットレンチ外周は軍手との摩擦により摩耗し、シールが擦り切れ、剥がれ落ちてしまったり、印刷による表示が消滅してしまうことが多々あった。したがって、ソケットレンチを長く使用していると、サイズ表示などの各種情報を確認しづらく、非常に不便なものであった。
【発明の開示】
【発明が解決しようとする課題】
【０００７】
本発明が解決しようとする問題点は、レンチの長期の使用を行うと、適応サイズなどの各種情報を表示した刻印部分が摩耗し、表示が消失してしまう点である。
【課題を解決するための手段】
【０００８】
前述した課題を解決するために本件第一の発明は、レンチの各種情報が刻印されている上から、印刷または塗装により着色したことを特徴とする。
【０００９】
また、本件第二の発明は、前記着色した刻印と並列して、印刷または塗装により各種情報を表示したことを特徴とする。
【００１０】
また、本件第三の発明は、前記レンチが駆動工具などに接続して使用されるソケットレンチであることを特徴とする。
【発明の効果】
【００１１】
本件発明のレンチは、刻印上から印刷や塗装により着色を行うことで、刻印内部にまで着色され、レンチ表面の摩耗によっても刻印内部の着色が消えることなく、長期にわたり視認性を確保することができるものである。また前記刻印と並列して印刷または塗装により着色して各種情報の表示を行うことから、前記着色が摩耗により消えるまでの間、確かな視認性を得ることができる。
【発明を実施するための最良の形態】
【００１２】
ソケットレンチの外周に適応ねじサイズ、ロゴマーク、品番などの情報を刻印し、前記刻印上から印刷により着色するとともに、前記刻印と並列して前記情報を印刷により表示する。
【実施例】
【００１３】
図１は、本発明の実施例であるソケットレンチ１を示したものである。ソケットレンチ１の基本的な態様は、一端にボルトやナットの頭部に嵌合される六角孔５を備え、他端には各種の駆動工具と接続される四角孔６を有している。また、本実施例のソケットレンチ１は、主に動力工具と組み合わせて使用されるものであるため、表面には防錆のための黒色処理が施されており、全体に黒色である。
【００１４】
ソケットレンチ１の四角孔６の外周部７には、六角孔５が適合するボルト・ナットのサイズ表記、ブランドロゴなどの刻印１０が打刻されている。なお、図示されていないが、刻印１０には、ソケットレンチ１の品番、原産地国表示、製造ロット番号など、通常のソケットレンチに刻印されている情報が表示されているものである。
【００１５】
また、刻印１０を含む一定の範囲について、印刷により着色され、図１に示されるように一定範囲の着色部９が構成されている。さらに、着色部９内で刻印１０と並列した場所には、刻印１０と同様の情報が抜き文字で記載される、表示部１１が設けられている。ソケットレンチ１は全体に黒色であるから、視認性を向上させるため、着色部９の着色には明るい系統の色を使うことが望ましい。また、着色の手段にはどの方法を用いても良いが、本実施例ではシルク印刷により着色するものとする。
【００１６】
図２は、前記刻印１０の拡大断面図である。（ａ）は使用前の状態を表したもので、（ｂ）は長期間使用後の状態を表している。刻印の上から着色しているため、刻印１０の底部１０’に塗料９’が付着している。
【００１７】
動力工具を使用する場合、高速でソケットレンチが回転するため、ブレが発生しやすい。したがって、使用者が軍手を装着し、ソケットレンチに軽く手を添えて動力工具を使用するのが一般的である。そうすると、動力工具の使用時には、ソケットレンチの外周が常に使用者の手（軍手）と接触していることとなり、さらにソケットレンチは高速回転するものであるから、ソケットレンチの外周は摩擦により摩耗しやすい。
【００１８】
本実施例のソケットレンチ１を長期間使用すると、前述したようにソケットレンチ１の表面が摩耗する。そうすると、着色部９は摩耗してなくなり、ソケットレンチ１の地肌が現れ、図２（ｂ）に示されるような状態になる。着色部９の摩耗によって表示部１１は消失するが、底部１０’に付着した塗料９’は、直接外部と接触することが無いため摩耗しない。したがって、長期の使用により着色部９が摩耗しても、良好な視認性を確保することができるものである。
【００１９】
表示部１１は、必ずしも本実施例のように抜き文字で表示する必要はなく、文字部分のみを着色しても構わない。また、本実施例のように一続きで着色しなくてもよく、刻印１０部と表示部１１とで異なる色により着色しても構わない。ただし、刻印１０部と表示部１１の着色は、同時に行うことで行程を減らすことができるから、できる限り同時に行うことが望ましい。
【００２０】
従来より、刻印内部に塗料を流し込み、刻印の視認性を向上させたものは公知であった。しかし、従来の技術は刻印内部のみに着色していたもので、刻印上から筆でなぞったり、刻印周辺一帯を着色した後拭き上げたりといった方法で着色を行っていたため、作業に手間がかかるなどといった問題があった。また、視認性についても特別優れたものではなかった。それに対して本実施例のソケットレンチ１では、前述したように刻印１０と表示部１１の着色を一度の行程で行うものであるから、手間がかからない上、顕著な視認性を得ることができる。
【００２１】
なお、以上に示した実施例は、あくまでも例示であり、本件発明の実施方法を限定するものではない。特に、本件発明は動力工具用のソケットレンチのみならず、手動用のソケットレンチやスパナ、メガネレンチなどその他のレンチ、あるいはエクステンションバーなどの工具についても適用し得るものである。また、その他当業者であれば用意に考え付く種々の改良を施した状態で実施し得ることは言うまでもない。
【図面の簡単な説明】
【００２２】
【図１】本実施例のソケットレンチ１の全体図である。
【図２】図１Ａ部分の拡大図であり、（ａ）は使用前の状態、（ｂ）は長期間使用後の状態を表したものである。
【図３】本実施例のソケットレンチ１の刻印１０付近の変化を表す拡大断面模式図であり、（ａ）は使用前の状態、（ｂ）は長期間使用後の状態を表したものである。
【符号の説明】
【００２３】
１    ソケットレンチ
５    六角孔
６    四角孔
７    四角孔外周部
９    着色部
９’  塗料
１０    刻印
１０’  刻印底部
１１    表示部
【図１】
2005095995.tif 000003
【図２】
2005095995.tif 000004
【図３】
2005095995.tif 000005